(57)【要約】【課題】デザイン性の高いポップアップカードを手軽に作成できる、ポップアップカードテンプレートを提供する。【解決手段】ポップアップカードテンプレート１０は、台紙を折るための基準折線を指標する第１標線Ｌ１と、用紙のポップアップされる部分の輪郭線に対応する第１切断線を指標する第２標線Ｌ２と、用紙のポップアップされる部分と台紙に貼り付けられる部分との境界に位置する第１折線を指標する第３標線Ｌ３とを備え、第１標線Ｌ１、第２標線Ｌ２および第３標線Ｌ３のそれぞれが、板状のプレート本体３０に形成された貫通孔３２ａ〜３２ｃの内周縁３４ａ〜３４ｃで構成されている。【選択図】図１
0003163388.tif 000002
【実用新案登録請求の範囲】
【請求項１】
少なくとも２つに折られた台紙と、その一部が前記台紙に貼り付けられた用紙とを有し、前記台紙を開いたときに前記用紙の他の一部が立体的にポップアップされるポップアップカードを作成するために用いられる、ポップアップカードテンプレートであって、
前記台紙を折るための基準折線を指標する第１標線と、
前記用紙のポップアップされる部分の輪郭線に対応する第１切断線を指標する第２標線と、
前記用紙のポップアップされる部分と前記台紙に貼り付けられる部分との境界に位置する第１折線を指標する第３標線とを備え、
前記第１標線、前記第２標線および前記第３標線のそれぞれが、板状のプレート本体に形成された貫通孔の内周縁で構成されている、ポップアップカードテンプレート。
【請求項２】
前記第１標線は、前記用紙の前記台紙に貼り付けられる部分を前記台紙と共に折る第２折線を指標する、請求項１に記載のポップアップカードテンプレート。
【請求項３】
前記用紙の前記台紙に貼り付けられる部分の輪郭線に対応する第２切断線を指標する第４標線をさらに備え、
前記第４標線が、板状のプレート本体に形成された貫通孔の内周縁で構成されている、請求項１または２に記載のポップアップカードテンプレート。
【請求項４】
前記用紙のポップアップされる部分を折るときの第３折線を指標する第５標線をさらに備え、
前記第５標線が、板状のプレート本体に形成された貫通孔の内周縁で構成されている、請求項１ないし３のいずれかに記載のポップアップカードテンプレート。
【請求項５】
前記台紙の外周線に対応する第３切断線を指標する第６標線をさらに備え、
前記第６標線が、板状のプレート本体に形成された貫通孔の内周縁で構成されている、請求項１ないし４のいずれかに記載のポップアップカードテンプレート。
【請求項６】
前記プレート本体は、透明樹脂で形成されている、請求項１ないし５のいずれかに記載のポップアップカードテンプレート。
【考案の詳細な説明】
【技術分野】
【０００１】
本考案は、ポップアップカードを作成するために用いられる、ポップアップカードテンプレートに関する。
【背景技術】
【０００２】
特許文献１に記載されているように、一般的なポップアップカードは、台紙を開いたときに、台紙に貼り付けられた用紙の一部が立体的にポップアップされるように構成されており、そのポップアップ動作および立体的形状が人目を惹くことから、販売促進カードやクリスマスカードなどに広く用いられている。また、「手軽に作成できる。」といった利点があることから、ポップアップカードの作成を趣味として楽しむ愛好家も数多く存在し、デザイン性の高いポップアップカードは、アートとしても注目されている。
【先行技術文献】
【特許文献】
【０００３】
【特許文献１】実用新案登録第２８２３２０６号
【考案の概要】
【考案が解決しようとする課題】
【０００４】
従来、ポップアップカードを趣味として作成する際には、台紙および用紙に切断線および折線を下書きし、続いて、台紙および用紙を切断線の下書きに沿って切断し、その後、台紙および用紙を折線の下書きに沿って折るとともに、用紙の一部を台紙に貼り付けるようにしていた。
【０００５】
ところが、ポップアップカードのデザイン性が高くなるにつれて、切断線および折線の形状も複雑になるため、切断線および折線をフリーハンドで下書きするには限界があった。そこで、切断線および折線の下書きをパソコンで描き、これらをプリンタで用紙に印刷することも行われているが、この場合には、大掛かりな装置が必要になるため、「手軽に作成できる。」といったポップアップカードの利点が損なわれるおそれがあった。
【０００６】
本考案は、上記課題を解決するためになされたものであり、デザイン性の高いポップアップカードを手軽に作成できる、ポップアップカードテンプレートを提供することを目的とする。
【課題を解決するための手段】
【０００７】
上記課題を解決するために、本考案に係るポップアップカードテンプレートは、少なくとも２つに折られた台紙と、その一部が前記台紙に貼り付けられた用紙とを有し、前記台紙を開いたときに前記用紙の他の一部が立体的にポップアップされるポップアップカードを作成するために用いられる、ポップアップカードテンプレートであって、前記台紙を折るための基準折線を指標する第１標線と、前記用紙のポップアップされる部分の輪郭線に対応する第１切断線を指標する第２標線と、前記用紙のポップアップされる部分と前記台紙に貼り付けられる部分との境界に位置する第１折線を指標する第３標線とを備え、前記第１標線、前記第２標線および前記第３標線のそれぞれが、板状のプレート本体に形成された貫通孔の内周縁で構成されている。
【０００８】
この構成では、第１標線が指標する基準折線に沿って台紙を正確に折ることができ、第２標線が指標する第１切断線に沿って用紙のポップアップされる部分の輪郭を正確に切断することができ、第３標線が指標する第１折線に沿って用紙のポップアップされる部分の基端を正確に折ることができる。また、第１標線によって台紙の位置を把握し、第２標線および第３標線によって台紙に対する用紙の位置を把握することができるので、台紙に対して用紙を貼り付ける際には、これらの相互の位置関係を正確に定めることができる。
【０００９】
また、第１標線、第２標線および第３標線が指標する基準折線、第１切断線および第１折線を下書きする際には、貫通孔の内周縁で鉛筆等をガイドすることができるので、下書き作業を簡単に行うことができる。また、第２標線が指標する第１切断線に沿って用紙を切断する際に、貫通孔の内周縁でカッターをガイドするようにすれば、第１切断線の下書きを省略して切断作業を簡単に行うこともできる。
【００１０】
さらに、貫通孔の内周縁は、ポップアップカードのデザイン形状を形作る基準折線、第１切断線および第１折線のそれぞれに対応しており、ポップアップカードのデザイン性が高くなれば、貫通孔で構成される図柄のデザイン性も高くなるので、ポップアップカードテンプレート自体を鑑賞対象とすることもできる。
【００１１】
前記第１標線は、前記用紙の前記台紙に貼り付けられる部分を前記台紙と共に折る第２折線を指標してもよい。
【００１２】
この構成では、第１標線によって台紙の基準折線および用紙の第２折線の両方を指標することができるので、基準折線と第２折線とを互いに重ねることで、台紙と用紙との位置関係を簡単かつ正確に定めることができる。
【００１３】
前記用紙の前記台紙に貼り付けられる部分の輪郭線に対応する第２切断線を指標する第４標線をさらに備え、前記第４標線が、板状のプレート本体に形成された貫通孔の内周縁で構成されてもよい。
【００１４】
この構成では、第４標線が指標する第２切断線に沿って用紙の台紙に貼り付けられる部分の輪郭を正確に切断することができる。
【００１５】
前記用紙のポップアップされる部分を折るときの第３折線を指標する第５標線をさらに備え、前記第５標線が、板状のプレート本体に形成された貫通孔の内周縁で構成されてもよい。
【００１６】
この構成では、第５標線が指標する第３折線に沿って用紙のポップアップされる部分を正確に折ることができる。
【００１７】
前記台紙の外周線に対応する第３切断線を指標する第６標線をさらに備え、前記第６標線が、板状のプレート本体に形成された貫通孔の内周縁で構成されてもよい。
【００１８】
この構成では、第６標線が指標する第３切断線に沿って台紙の外周を正確に切断することができる。
【００１９】
前記プレート本体は、透明樹脂で形成されてもよい。
【００２０】
この構成では、透明樹脂からなる板材を打ち抜き加工すること等によって、ポップアップカードテンプレートを簡単に製造することができる。また、台紙または用紙の上にプレート本体を置いて台紙または用紙に下書きする場合でも、透明なプレート本体を通して用紙の状態を視認することができるので、下書きの作業性を向上することができる。
【考案の効果】
【００２１】
本考案に係るポップアップカードテンプレートによれば、プレート本体に形成された貫通孔の内周縁で各種の標線が構成されており、これらの標線が指標する折線および切断線に沿って、台紙および用紙を折ったり、切断したりすることができるので、デザイン性の高いポップアップカードを手軽に作成することができる。また、貫通孔の内周縁は、ポップアップカードのデザイン形状を形作る線に対応しているので、ポップアップカードテンプレート自体を鑑賞対象とすることができる。
【図面の簡単な説明】
【００２２】
【図１】図１は、第１実施形態に係るポップアップカードテンプレートを示す正面図である。
【図２】図２は、第１実施形態に係るポップアップカードテンプレートで作成されるポップアップカードを９０度に開いた状態を示す斜視図である。
【図３】図３は、図２のポップアップカードを１８０度に開いた状態を示す正面図である。
【図４】図４は、図２のポップアップカードの台紙を示す正面図である。
【図５】図５は、図２のポップアップカードの用紙を示す正面図である。
【図６】図６は、第２実施形態に係るポップアップカードテンプレートを示す正面図である。
【図７】図７は、第２実施形態に係るポップアップカードテンプレートで作成されるポップアップカードを９０度に開いた状態を示す斜視図である。
【図８】図８は、図７のポップアップカードを１８０度に開いた状態を示す正面図である。
【図９】図９は、図７のポップアップカードの台紙を示す正面図である。
【図１０】図１０は、図７のポップアップカードの用紙を示す正面図である。
【図１１】図１１は、第３実施形態に係るポップアップカードテンプレートを示す正面図である。
【図１２】図１２は、第３実施形態に係るポップアップカードテンプレートで作成されるポップアップカードを９０度に開いた状態を示す斜視図である。
【図１３】図１３は、図１２のポップアップカードを１８０度に開いた状態を示す正面図である。
【図１４】図１４は、図１２のポップアップカードの台紙を示す正面図である。
【図１５】図１５は、図１２のポップアップカードの用紙を示す正面図である。
【考案を実施するための形態】
【００２３】
以下に、本考案の好ましい実施形態を、図面を参照しながら説明する。
（第１実施形態）
図１は、第１実施形態に係るポップアップカードテンプレート１０を示す正面図である。このポップアップカードテンプレート１０は、図２に示すようなポップアップカード１２を作成するために用いられるものであり、ポップアップカードテンプレート１０の形状およびサイズ等は、ポップアップカード１２の形状およびサイズ等に応じて設計されている。そこで、以下には、先ず、ポップアップカード１２の構成について説明し、その後、ポップアップカードテンプレート１０の構成について説明する。
［ポップアップカードの構成］
図２は、ポップアップカード１２を９０度に開いた状態を示す斜視図であり、図３は、ポップアップカード１２を１８０度に開いた状態を示す正面図である。また、図４は、ポップアップカード１２の台紙１４を示す正面図であり、図５は、ポップアップカード１２の用紙１６を示す正面図である。
【００２４】
図２および図３に示すように、ポップアップカード１２は、互いに異なる色に着色された台紙１４と用紙１６とを備えており、台紙１４と用紙１６とによって、「雨の中で少女が傘を開いた情景」のデザインＤ１が表現されている。このデザインＤ１は、少女Ａ、傘Ｂ（傘の柄ｂ１および傘本体ｂ２を含む。）、雨の雫Ｃおよび枠Ｅによって構成されており、図２に示すように、台紙１４を開いたときには、傘本体ｂ２が立体的にポップアップされるようになっている。
＜台紙の構成＞
図４に示すように、台紙１４は、用紙１６が貼り付けられる略四角形の紙であり、その硬さや厚さは、容易に撓んだり、破れたりしないように設計されている。また、台紙１４は、その幅方向の中央部に位置する基準折線Ｐ０に沿って２つに折られており、その内側の面（すなわち内面）１４ａを少なくとも０〜１８０度の範囲内で開閉できるようになっている。
【００２５】
なお、台紙１４の形状およびサイズは、特に限定されるものではなく、定型サイズの台紙１５（図４中の２点鎖線で示す部分）を第３切断線Ｑ３に沿って切断し、その外周線１４ｂの位置を適宜後退させることによって、所望の形状およびサイズの台紙１４を得るようにしてもよい。
＜用紙の構成＞
図５に示すように、用紙１６は、略四角形の紙であり、台紙１４の内面１４ａ（図４）に貼り付けられる貼付部１６ａと、台紙１４から立体的にポップアップされるポップアップ部１６ｂとを有している。
【００２６】
本実施形態の貼付部１６ａは、少女Ａ、傘の柄ｂ１、雨の雫Ｃおよび枠Ｅを平面的に表現する部分であり、貼付部１６ａにおいては、第２切断線Ｑ２に沿って用紙１６が切断されることによって輪郭線が形成されている。そして、この第２切断線Ｑ２（すなわち輪郭線）によって、少女Ａを表現する切欠き２０と、傘の柄ｂ１を表現する孔２２と、雨の雫Ｃを表現する孔２４と、枠Ｅを表現する外周線２６とが構成されている。また、貼付部１６ａは、その幅方向の中央部に位置する第２折線Ｐ２に沿って折られており、第２折線Ｐ２を挟んだ一方面Ｓ１に切欠き２０が配置されており、他方面Ｓ２に孔２４が配置されており、これらの略中間に孔２２が配置されている。そして、一方面Ｓ１と他方面Ｓ２とに跨って、ポップアップ部１６ｂが配置されている。
【００２７】
一方、本実施形態のポップアップ部１６ｂは、傘本体ｂ２を立体的に表現する部分であり、ポップアップ部１６ｂにおいては、第１切断線Ｑ１に沿って用紙１６が切断されることによって、傘本体ｂ２の下端部２８ａの輪郭線が形成されている。また、ポップアップ部１６ｂの一方の基端部２８ｂは、一方面Ｓ１において貼付部１６ａに連結されており、他方の基端部２８ｃは、他方面Ｓ２において貼付部１６ａに連結されている。そして、これらの基端部２８ｂ，２８ｃは、貼付部１６ａとポップアップ部１６ｂとの境界に位置する第１折線Ｐ１に沿って折られており、第１折線Ｐ１によって基端部２８ｂ，２８ｃの輪郭線が形成されている。さらに、ポップアップ部１６ｂは、２本の第１折線Ｐ１の間に位置する第３折線Ｐ３に沿って折られている。
【００２８】
なお、用紙１６の形状およびサイズは、特に限定されるものではなく、定型サイズの用紙１７（図５中の２点鎖線で示す部分）を第４切断線Ｑ４に沿って切断し、その外周線１６ｃの位置を適宜後退させることによって、所望の形状およびサイズの用紙１６を得るようにしてもよい。
［ポップアップカードテンプレートの構成］
図１に示すように、ポップアップカードテンプレート１０は、上記ポップアップカード１２を作成するために用いられるものであり、折線Ｐ０〜Ｐ３および切断線Ｑ１〜Ｑ４を指標する標線Ｌ１〜Ｌ６を備えており、これらの標線Ｌ１〜Ｌ６が、板状のプレート本体３０に形成された貫通孔３２ａ〜３２ｆの内周縁３４ａ〜３４ｆで構成されている。プレート本体３０の材質は、合成樹脂、金属および木質材等を適宜選択して使用できるが、本実施形態では、安価に製造でき、かつ、下書きの作業性を向上できる点で、透明な合成樹脂（ポリプロピレン等）を使用している。なお、貫通孔が複数の孔を有している場合、当該貫通孔の内周縁とは、複数の孔のそれぞれの内周縁を意味するものとする。
【００２９】
第１標線Ｌ１は、台紙１４を折るための基準折線Ｐ０を指標する線であり、プレート本体３０の幅方向中央部に、縦方向（図１の上下方向。以下、同じ。）に延びて直線状に形成されている。第１標線Ｌ１に対応する貫通孔３２ａは、縦方向に延びて間欠的に形成された複数の孔を有しており、貫通孔３２ａの内周縁３４ａで第１標線Ｌ１が構成されている。なお、本実施形態では、台紙１４の基準折線Ｐ０（図４）が、貼付部１６ａ（すなわち用紙１６の台紙１４に貼り付けられる部分）を台紙１４と共に折るための第２折線Ｐ２（図５）と重なるため、第１標線Ｌ１によって第２折線Ｐ２を指標することもできる。
【００３０】
第２標線Ｌ２は、ポップアップ部１６ｂ（すなわち用紙１６のポップアップされる部分）の輪郭線に対応する第１切断線Ｑ１（図５）を指標する線であり、傘本体ｂ２の下端部２８ａの輪郭線に対応するように波線状に形成されている。第２標線Ｌ２に対応する貫通孔３２ｂは、波線状に連続した孔であり、この貫通孔３２ｂの内周縁３４ｂで第２標線Ｌ２が構成されている。
【００３１】
第３標線Ｌ３は、ポップアップ部１６ｂと貼付部１６ａとの境界に位置する第１折線Ｐ１（図５）を指標する線であり、傘本体ｂ２の基端部２８ｂ，２８ｃの輪郭線に対応するように直線状に形成されている。第３標線Ｌ３に対応する貫通孔３２ｃは、縦方向に対して斜め方向に延びて間欠的に形成された複数の孔を有しており、貫通孔３２ｃの内周縁３４ｃで第３標線Ｌ３が構成されている。
【００３２】
第４標線Ｌ４は、貼付部１６ａの輪郭線に対応する第２切断線Ｑ２（図５）を指標する線であり、少女Ａを表現する切欠き２０、傘の柄ｂ１を表現する孔２２、雨の雫Ｃを表現する孔２４、枠Ｅを表現する外周線２６のそれぞれに対応するように直線状または曲線状（波線状を含む。）に形成されている。第４標線Ｌ４に対応する貫通孔３２ｄは、切欠き２０、孔２２，２４および外周線２６の形状に応じて形成された複数の孔を有しており、貫通孔３２ｄの内周縁３４ｄで第４標線Ｌ４が構成されている。
【００３３】
第５標線Ｌ５は、ポップアップ部１６ｂを折るときの第３折線Ｐ３（図５）を指標する線であり、傘本体ｂ２の稜線に対応するように直線状に形成されている。第５標線Ｌ５に対応する貫通孔３２ｅは、縦方向に対して斜め方向に延びて間欠的に形成された複数の孔を有しており、貫通孔３２ｅの内周縁３４ｅで第５標線Ｌ５が構成されている。
【００３４】
第６標線Ｌ６は、台紙１４の外周線１４ｂに対応する第３切断線Ｑ３（図４）および用紙１６の外周線１６ｃに対応する第４切断線Ｑ４（図５）を指標する線であり、外周線１４ｂ，１６ｃに対応するように直線状に形成されている。第６標線Ｌ６に対応する貫通孔３２ｆは、直線状に延びる複数の孔を有しており、貫通孔３２ｆの内周縁３４ｆで第６標線Ｌ６が構成されている。また、貫通孔３２ｆを構成する複数の孔のうち、縦方向に延びる孔は、第４標線Ｌ４に対応する貫通孔３２ｄとの間で共有されており、当該孔の内周縁では、第４標線Ｌ４を構成する部分が波線状に形成されており、第６標線Ｌ６を構成する部分が直線状に形成されている。
［ポップアップカードテンプレートの使用方法］
ポップアップカードテンプレート１０を用いてポップアップカード１２を作成する際には、台紙１４（図４）および用紙１６（図５）を別々に作成し、その後、台紙１４に用紙１６を貼り付けてポップアップカード１２を完成させる。以下には、台紙１４および用紙１６よりも大サイズの台紙１５および用紙１７を用いてポップアップカード１２を作成する方法について説明する。
【００３５】
台紙１４を作成する際には、まず、ポップアップカードテンプレート１０を台紙１５（図４）の上に載置し、標線Ｌ１，Ｌ６に沿って台紙１５の表面に基準折線Ｐ０および第３切断線Ｑ３を下書きする。続いて、台紙１５を第３切断線Ｑ３の下書きに沿ってハサミやカッターで切断し、所定サイズの台紙１４を得る。その後、この台紙１４を基準折線Ｐ０の下書きに沿って２つ折りにする。
【００３６】
用紙１６を作成する際には、まず、ポップアップカードテンプレート１０を用紙１７（図５）の上に載置し、標線Ｌ１〜Ｌ６に沿って用紙１７の表面に折線Ｐ１，Ｐ２，Ｐ３および切断線Ｑ１，Ｑ２，Ｑ４を下書きする。続いて、用紙１７を切断線Ｑ１，Ｑ２，Ｑ４の下書きに沿ってハサミやカッターで切断し、所定サイズの用紙１６を得る。その後、この用紙１６を折線Ｐ１，Ｐ２，Ｐ３の下書きに沿って折る。そして、用紙１６の貼付部１６ａを台紙１４の内面１４ａに糊等を用いて貼り付ける。
【００３７】
折線Ｐ０〜Ｐ３および切断線Ｑ１〜Ｑ４を台紙１４および用紙１６に下書きする際には、貫通孔３２ａ〜３２ｆの内周縁３４ａ〜３４ｆで鉛筆等をガイドすることができるので、下書き作業を簡単かつ正確に行うことができる。また、台紙１５および用紙１７を透明なプレート本体３０を通して視認しながら下書きすることができるので、下書きの作業性を向上することができる。したがって、デザイン性の高いポップアップカード１２を簡単かつ正確に作成することができる。
【００３８】
また、第１標線Ｌ１によって台紙１４の基準折線Ｐ０および用紙１６の第２折線Ｐ２の両方を指標することができるので、基準折線Ｐ０と第２折線Ｐ２とを互いに重ねることで、台紙１４と用紙１６との位置関係を簡単かつ正確に定めることができる。
【００３９】
そして、貫通孔３２ａ〜３２ｆの内周縁３４ａ〜３４ｆは、ポップアップカード１２のデザイン形状を形作る折線Ｐ０〜Ｐ３および切断線Ｑ１〜Ｑ４に対応しており、ポップアップカード１２のデザイン性が高くなれば、貫通孔３２ａ〜３２ｆで構成される図柄のデザイン性も高くなるので、ポップアップカードテンプレート１０自体を鑑賞対象とすることができる。
【００４０】
なお、上述の作成方法では、折線Ｐ０〜Ｐ３と共に切断線Ｑ１〜Ｑ４を下書きしているが、切断線Ｑ１〜Ｑ４の下書きを省略し、貫通孔３２ｂ，３２ｄ，３２ｆの内周縁３４ｂ，３４ｄ，３４ｆでカッターをガイドしながら、台紙１５および用紙１７を直接切断するようにしてもよい。
（第２実施形態）
図６は、第２実施形態に係るポップアップカードテンプレート４０を示す正面図であり、図７は、ポップアップカードテンプレート４０で作成されるポップアップカード４２を９０度に開いた状態を示す斜視図であり、図８は、ポップアップカード４２を１８０度に開いた状態を示す正面図である。また、図９は、ポップアップカード４２の台紙４４を示す正面図であり、図１０は、ポップアップカード４２の用紙４６を示す正面図である。
【００４１】
図７および図８に示すように、ポップアップカード４２は、互いに異なる色に着色された台紙４４と用紙４６とを備えており、台紙４４と用紙４６とによって、「少女とウサギとが向き合った情景」のデザインＤ２が表現されている。このデザインＤ２は、少女Ｆ、ウサギＧおよび３つの円形模様Ｈによって構成されており、図７に示すように、台紙４４を開いたときには、少女ＦおよびウサギＧが立体的にポップアップされるようになっている。
【００４２】
図６に示すように、ポップアップカードテンプレート４０は、上記ポップアップカード４２を作成するために用いられるものであり、折線Ｐ０〜Ｐ３および切断線Ｑ１〜Ｑ４を指標する標線Ｌ１〜Ｌ６を備えており、これらの標線Ｌ１〜Ｌ６が、板状のプレート本体４８に形成された貫通孔５２ａ〜５２ｆの内周縁５４ａ〜５４ｆで構成されている。
【００４３】
なお、図９および図１０に示すように、本実施形態の標線Ｌ１〜Ｌ６が指標する折線Ｐ０〜Ｐ３および切断線Ｑ１〜Ｑ４は、基本的には第１実施形態の上記構成に対応しているが、基準折線Ｐ０が横方向（図９の左右方向。）に延びている点では、基準折線Ｐ０が縦方向に延びている上記構成とは相違する。また、図８に示すように、少女ＦおよびウサギＧに対応する部分５８ａ，５８ｂが連結部５６ａ，５６ｂを介して貼付部４６ａに連結されている点では、連結部を有していない上記構成とは相違する。
（第３実施形態）
図１１は、第３実施形態に係るポップアップカードテンプレート６０を示す正面図であり、図１２は、ポップアップカードテンプレート６０で作成されるポップアップカード６２を９０度に開いた状態を示す斜視図であり、図１３は、ポップアップカード６２を１８０度に開いた状態を示す正面図である。また、図１４は、ポップアップカード６２の台紙６４を示す正面図であり、図１５は、ポップアップカード６２の用紙６６を示す正面図である。
【００４４】
図１２および図１３に示すように、ポップアップカード６２は、互いに異なる色に着色された台紙６４と用紙６６とを備えており、台紙６４と用紙６６とによって、「荷物を持つ２人の少女を２羽の鳥が見守っている情景」のデザインＤ３が表現されている。このデザインＤ３は、２人の少女Ｊ、荷物Ｋおよび２羽の鳥Ｍによって構成されており、図１２に示すように、台紙６４を開いたときには、２人の少女Ｊおよび荷物Ｋが立体的にポップアップされるようになっている。
【００４５】
図１１に示すように、ポップアップカードテンプレート６０は、上記ポップアップカード６２を作成するために用いられるものであり、折線Ｐ０〜Ｐ３および切断線Ｑ１〜Ｑ４を指標する標線Ｌ１〜Ｌ６を備えており、これらの標線Ｌ１〜Ｌ６が、板状のプレート本体６８に形成された貫通孔７２ａ〜７２ｆの内周縁７４ａ〜７４ｆで構成されている。
【００４６】
なお、図１４および図１５に示すように、本実施形態の標線Ｌ１〜Ｌ６が指標する折線Ｐ０〜Ｐ３および切断線Ｑ１〜Ｑ４は、基本的には第１実施形態の上記構成に対応しているが、デザインＤ３が左右対称である点では、デザインＤ１が左右非対称である上記構成とは相違する。このような相違から、第１実施形態のポップアップカードテンプレート１０がデザインＤ１の全体に対応しているのに対し、第３実施形態のポップアップカードテンプレート６０はデザインＤ３の右半分にだけ対応している。
【００４７】
ポップアップカード６２を作成する際には、用紙６６の第２折線Ｐ２（図１５）の位置を中心にして、その右側の部分にポップアップカードテンプレート６０（図１１）を載置し、標線Ｌ１〜Ｌ６に沿って当該右側の部分に折線Ｐ１〜Ｐ３および切断線Ｑ１，Ｑ２，Ｑ４等を下書きする。続いて、用紙６６を第２折線Ｐ２の下書きに沿って２つ折りにし、用紙６６の左右両側の部分を重ね合わせる。その後、切断線Ｑ１，Ｑ２，Ｑ４の下書きに沿って、用紙６６の左右両側の部分を同時に切断し、デザインＤ３を表現するための形状を完成させる。したがって、この実施形態では、左右対称のデザインＤ３を表現するポップアップカード６２を、少ない手間で簡単かつ正確に作成することができる。また、ポップアップカードテンプレート６０を裏返すことによって、これをデザインＤ３の左半分に対応させることも可能である。
【符号の説明】
【００４８】
Ｄ１〜Ｄ３…  デザイン
Ｌ１〜Ｌ６…  標線
Ｐ０…  基準折線
Ｐ１〜Ｐ３…  折線
Ｑ１〜Ｑ４…  切断線
１０…  ポップアップカードテンプレート
１２…  ポップアップカード
１４…  台紙
１６…  用紙
１４ｂ，１６ｃ…  外周線
１６ａ…  貼付部
１６ｂ…  ポップアップ部
２６…  外周線
３０…  プレート本体
３２ａ〜３２ｆ…  貫通孔
３４ａ〜３４ｆ…  内周縁
４０…  ポップアップカードテンプレート
５６ａ，５６ｂ…  連結部
６０…  ポップアップカードテンプレート
【図１】
0003163388.tif 000003
【図２】
0003163388.tif 000004
【図３】
0003163388.tif 000005
【図４】
0003163388.tif 000006
【図５】
0003163388.tif 000007
【図６】
0003163388.tif 000008
【図７】
0003163388.tif 000009
【図８】
0003163388.tif 000010
【図９】
0003163388.tif 000011
【図１０】
0003163388.tif 000012
【図１１】
0003163388.tif 000013
【図１２】
0003163388.tif 000014
【図１３】
0003163388.tif 000015
【図１４】
0003163388.tif 000016
【図１５】
0003163388.tif 000017